【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
マトリクス状に配列した画素と、各画素に接続したスイッチ手段とを有する画像表示部と、前記スイッチ手段を駆動しながら前記画素をライン状に選択して１フレーム周期にわたって一画面を走査する垂直駆動回路と、前記走査に同期して、選択されたラインの画素に画像信号を書き込む水平駆動回路を備え、
表示すべき画像に対応した本来の画像信号のレベルを、本来の画像信号を印加した場合の液晶パネルの安定状態の透過率と等しい透過率に１フレームの時間内に達するレベルへと変換し、画素に書き込む駆動手段と、
垂直走査方向に対して複数個に区分された発光領域および各発光領域の点灯制御回路を有し、液晶表示部の画像信号の書き込みに同期して一定の時間的遅延を持たせながら、発光領域を順次点灯および消灯させて液晶表示部を照明する照明装置とを備えていることを特徴とする液晶表示装置。
【請求項２】
マトリクス状に配列した画素と、各画素に接続したスイッチ手段とを有する画像表示部と、前記スイッチ手段を駆動しながら前記画素をライン状に選択して１フレーム周期にわたって一画面を走査する垂直駆動回路と、前記走査に同期して、選択されたラインの画素に画像信号を書き込む水平駆動回路を備え、
偶数フレームにおいて、偶数ラインの画素に画像信号を書き込む一方、奇数ラインの画素に各画素の電位をそろえるための消去信号を書き込み、
奇数フレームにおいて、奇数ラインの画素に画像信号を書き込む一方、偶数ラインの画素に消去信号を書き込み、
表示すべき画像に対応した本来の画像信号のレベルを、本来の画像信号を印加した場合の液晶パネルの安定状態の透過率と等しい透過率に１フレームの時間内に達するレベルへと変換し、画素に書き込む駆動手段と、
垂直走査方向に対して複数個に区分された発光領域およびその点灯制御回路を有し、液晶表示部の画像信号の書き込みに同期して一定の時間的遅延を持たせながら、発光領域を順次点灯および消灯させて液晶表示部を照明する照明装置とを備えていることを特徴とする液晶表示装置。
【請求項３】
マトリクス状に配列した画素と、各画素に接続したスイッチ手段とを有する画像表示部と、前記スイッチ手段を駆動しながら前記画素をライン状に選択して１フレーム周期にわたって一画面を走査する垂直駆動回路と、前記走査に同期して、選択されたラインの画素に画像信号を書き込む水平駆動回路を備え、
偶数フレームにおいて、偶数ラインの画素に画像信号を書き込む一方、奇数ラインの画素に各画素の電位をそろえるための消去信号を書き込み、
奇数フレームにおいて、奇数ラインの画素に画像信号を書き込む一方、偶数ラインの画素に消去信号を書き込み、
入力された階調信号に対して液晶に印加する電圧を決定する際に、前記液晶表示部の液晶温度を検出して、その検出出力に応じて、１フレーム後に目標の透過率を実現するために必要な電圧を各画素に印加して駆動する駆動手段と、垂直走査方向に対して複数個に区分された発光領域およびその点灯制御回路を有し、液晶表示部の画像信号の書き込みに同期して一定の時間的遅延を持たせながら、発光領域を順次点灯および消灯させて液晶表示部を照明する照明装置とを備えていることを特徴とする液晶表示装置。
【請求項４】
液晶の温度を検出する温度検出回路と、
現フレーム画像信号を記憶し一定時間の遅延ののちに前フレーム画像信号として出力するフレームメモリと、
前フレーム画像信号の各値および現フレーム画像信号の各値に対応させて出力データを格納した複数の信号変換用テーブルと、
前記温度検出回路からの信号にもとづいて前記信号変換用テーブルのいずれか１つを使用し、現フレーム画像信号および現フレーム画像信号から出力データを決定する演算器と
を備える液晶表示装置。
【請求項５】
液晶の温度を検出する温度検出回路と、
現フレーム画像信号のデータ量を削減するデータ変換手段と、
変換後の現フレーム画像信号を記憶し、一定時間の遅延ののちに前フレーム画像信号として出力するフレームメモリと、
前フレーム画像信号の各値の一部、および現フレーム画像信号の各値の一部に対応させて出力データを格納した複数の信号変換用テーブルと、
前フレーム画像信号の各値の一部、および現フレーム画像信号の各値の一部に対応させて補間用差分データを格納した信号変換用補間テーブルと、
前記温度検出回路からの信号にもとづいて前記信号変換用テーブルのいずれか１つ、および前記信号変換用補間テーブルを使用して、現フレーム画像信号および前フレーム画像信号から出力データを決定する演算器と
を備える液晶表示装置。
【請求項６】
現フレーム画像信号のデータ量を削減するデータ変換手段と、
変換後の現フレーム画像信号を記憶し、一定時間の遅延ののちに前フレーム画像信号として出力するフレームメモリと、
前フレーム画像信号の各値の一部、および現フレーム画像信号の各値の一部に対応させて出力データを格納した信号変換用テーブルと、
前記信号変換用テーブルを使用して、前フレーム画像信号および現フレーム画像信号から出力データを決定する演算器と、
複数個に区分された発光領域およびその点灯制御回路を有し、液晶表示部の画像信号の書き込みに同期して一定の時間的遅延をもたせながら、発光領域を順次点灯および消灯させて液晶表示部を照明する照明装置と
を備えていることを特徴とする液晶表示装置。
【請求項７】
液晶の温度を検出する温度検出回路と、
現フレーム画像信号のデータ量を削減するデータ変換手段と、
変換後の現フレーム画像信号を記憶し、一定時間の遅延ののちに前フレーム画像信号として出力するフレームメモリと、
前フレーム画像信号の各値の一部、および現フレーム画像信号の各値の一部に対応させて出力データを格納した複数の信号変換用テーブルと、
前記温度検出回路からの信号にもとづいて前記信号変換用テーブルのいずれか１つを使用し、前フレーム画像信号および現フレーム画像信号から出力データを決定する演算器と、複数個に区分された発光領域およびその点灯制御回路を有し、液晶表示部の画像信号の書き込みに同期して一定の時間的遅延を持たせながら、発光領域を順次点灯および消灯させて液晶表示部を照明する照明装置と
を備えていることを特徴とする液晶表示装置。
【請求項８】
前記出力データから決定される液晶への印加電圧が、液晶が１フレーム期間経過後に前記現フレーム画像信号の定める透過率となる電圧であることを特徴とする請求項４、５、６または７記載の液晶表示装置。
【請求項９】
前記列駆動回路が、前記変換後の画像信号の供給源および消去信号供給源に切換え可能に接続しており、前記行駆動回路によるライン選択に同期して、前記変換後の画像信号の供給源および消去信号供給源への接続を１ライン毎に交互に切換えるアクティブマトリックス型液晶表示装置において、
消去信号の発生の有無に対応し、前記画像信号の変換の実行と中止とを切換えることを特徴とする請求項２記載のアクティブマトリックス型液晶表示装置。
【請求項１０】
請求項１、２、３、４、５、６、７、８または９記載の液晶表示装置を備えたテレビジョン。
【手続補正２】
【補正対象書類名】明細書
【補正対象項目名】００１３
【補正方法】変更
【補正の内容】
【００１３】
【課題を解決するための手段】
前記課題を解決するために、本発明の一態様における液晶表示装置は、マトリクス状に配列した画素と各画素に接続したスイッチ手段とを有する画像表示部と、前記スイッチ手段を駆動しながら前記画素をライン状に選択して１フレーム周期にわたって一画面全体を走査する垂直駆動回路と、前記走査に同期して、選択されたラインの画素に画像信号を書き込む水平駆動回路を備え、表示すべき画像に対応した本来の画像信号のレベルを、本来の画像信号を印加した場合の液晶パネルの安定状態の透過率と等しい透過率に１フレームの時間内に達するレベルへと変換し画素に書き込む駆動手段と、垂直走査方向に対して複数個に区分された発光領域および各発光領域の点灯制御回路を有し、液晶表示部の画像信号の書き込みに同期して一定の時間的遅延を持たせながら、発光領域を順次点灯および消灯させて液晶表示部を照明する照明装置とを備えることを特徴とする。
【手続補正３】
【補正対象書類名】明細書
【補正対象項目名】００１４
【補正方法】変更
【補正の内容】
【００１４】
また、本発明のほかの態様における液晶表示装置は、マトリクス状に配列した画素と各画素に接続したスイッチ手段とを有する画像表示部と、前記スイッチ手段を駆動しながら前記画素をライン状に選択して１フレーム周期にわたって一画面を走査する垂直駆動回路と、前記走査に同期して、選択されたラインの画素に画像信号を書き込む水平駆動回路を備え、偶数フレームにおいて、偶数ラインの画素に画像信号を書き込む一方、奇数ラインの画素に各画素の電位をそろえるための消去信号を書き込み、奇数フレームにおいて、奇数ラインの画素に画像信号を書き込む一方、偶数ラインの画素に消去信号を書き込み、表示すべき画像に対応した本来の画像信号のレベルを、本来の画像信号を印加した場合の液晶パネルの安定状態の透過率と等しい透過率に１フレームの時間内に達するレベルに変換して画素に書き込む駆動手段と、垂直走査方向に対して複数個に区分された発光領域およびその点灯制御回路を有し、液晶表示部の画像信号の書き込みに同期して一定の時間的遅延を持たせながら、発光領域を順次点灯および消灯させて液晶表示部を照明する照明装置とを備えることを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、本発明のほかの態様における液晶表示装置は、マトリクス状に配列した画素と各画素に接続したスイッチ手段とを有する画像表示部と、前記スイッチ手段を駆動しながら前記画素をライン状に選択して１フレーム周期にわたって一画面を走査する垂直駆動回路と、前記走査に同期して、選択されたラインの画素に画像信号を書き込む水平駆動回路を備え、偶数フレームにおいて、偶数ラインの画素に画像信号を書き込む一方、奇数ラインの画素に各画素の電位をそろえるための消去信号を書き込み、奇数フレームにおいて、奇数ラインの画素に画像信号を書き込む一方、偶数ラインの画素に消去信号を書き込み、入力された階調信号に対して液晶に印加する電圧を決定する際に、前記液晶表示部の液晶温度を検出して、その検出出力に応じて、１フレーム後に目標の透過率を実現するために必要な電圧を各画素に印加して駆動する駆動手段と、垂直走査方向に対して複数個に区分された発光領域およびその点灯制御回路を有し、液晶表示部の画像信号の書き込みに同期して一定の時間的遅延を持たせながら、発光領域を順次点灯および消灯させて液晶表示部を照明する照明装置とを備えることを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】変更
【補正の内容】
【００２６】
また、本発明のほかの態様における液晶表示装置は、液晶の温度を検出する温度検出回路と、現フレーム画像信号のデータ量を削減するデータ変換手段と、
変換後の現フレーム画像信号を記憶し、一定時間の遅延ののちに前フレーム画像信号として出力するフレームメモリと、前フレーム画像信号の各値の一部、および現フレーム画像信号の各値の一部に対応させて出力データを格納した複数の信号変換用テーブルと、前フレーム画像信号の各値の一部、および現フレーム画像信号の各値の一部に対応させて補間用差分データを格納した信号変換用補間テーブルと、前記温度検出回路からの信号にもとづいて前記信号変換用テーブルのいずれか１つ、および前記信号変換用補間テーブルを使用して、現フレーム画像信号および前フレーム画像信号から出力データを決定する演算器とを備えることを特徴とする。
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】変更
【補正の内容】
【００２８】
また、本発明のほかの態様における液晶表示装置は、現フレーム画像信号のデータ量を削減するデータ変換手段と、
変換後の現フレーム画像信号を記憶し、一定時間の遅延ののちに前フレーム画像信号として出力するフレームメモリと、
前フレーム画像信号の各値の一部、および現フレーム画像信号の各値の一部に対応させて出力データを格納した信号変換用テーブルと、
前記信号変換用テーブルを使用して、前フレーム画像信号および現フレーム画像信号から出力データを決定する演算器と、
複数個に区分された発光領域およびその点灯制御回路を有し、液晶表示部の画像信号の書き込みに同期して一定の時間的遅延をもたせながら、発光領域を順次点灯および消灯させて液晶表示部を照明する照明装置とを備えることを特徴とする。
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】変更
【補正の内容】
【００３０】
また、本発明のほかの態様における液晶表示装置は、液晶の温度を検出する温度検出回路と、
現フレーム画像信号のデータ量を削減するデータ変換手段と、
変換後の現フレーム画像信号を記憶し、一定時間の遅延ののちに前フレーム画像信号として出力するフレームメモリと、
前フレーム画像信号の各値の一部、および現フレーム画像信号の各値の一部に対応させて出力データを格納した複数の信号変換用テーブルと、
前記温度検出回路からの信号にもとづいて前記信号変換用テーブルのいずれか１つを使用し、前フレーム画像信号および現フレーム画像信号から出力データを決定する演算器と、
複数個に区分された発光領域およびその点灯制御回路を有し、液晶表示部の画像信号の書き込みに同期して一定の時間的遅延を持たせながら、発光領域を順次点灯および消灯させて液晶表示部を照明する照明装置と
を備えていることを特徴とする。
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】